(57)【要約】  主糸条と、間歇的に切断されて前記主糸条に交絡した飾り糸条と、を少なくとも含む意匠糸を製造する装置は、前記飾り糸条を前記主糸条に沿わせる合流領域と、前記主糸条を前記合流領域へ供給する主給糸クリールと、前記飾り糸条を前記合流領域へ空気流と共に供給するジェットノズルと、前記飾り糸条を間歇的に切断するカッタと、前記飾り糸条を伴う前記主糸条に仮撚りまたは実撚りを与える加撚装置と、を備える。
2020044493.tif 000002
【特許請求の範囲】
【請求項１】
主糸条と、間歇的に切断されて前記主糸条に交絡した飾り糸条と、を少なくとも含む意匠糸を製造する装置であって、
前記飾り糸条を前記主糸条に沿わせる合流領域と、
前記主糸条を前記合流領域へ供給する主給糸クリールと、
前記飾り糸条を前記合流領域へ空気流と共に供給するジェットノズルと、
前記飾り糸条を間歇的に切断するカッタと、
前記飾り糸条を伴う前記主糸条に仮撚りまたは実撚りを与える加撚装置と、
を備えた製造装置。
【請求項２】
前記加撚装置は、前記主糸条が走行する向きにおいて前記合流領域より下流に配置されている、請求項１の製造装置。
【請求項３】
副糸条を供給する副給糸クリールをさらに備え、
前記加撚装置は、前記副給糸クリールから供給された前記副糸条が前記飾り糸条を伴う前記主糸条に合流するよりも下流に配置されている、請求項１の製造装置。
【請求項４】
前記合流領域を通過して前記飾り糸条と合流した前記主糸条と、前記副糸条とを合流せしめる糸条ガイドであって、前記主糸条が走行する向きにおいて前記合流領域より下流であって前記加撚装置より上流に配置された糸条ガイドを、
さらに備えた請求項３の製造装置。
【請求項５】
前記加撚装置は、旋回ノズル、中空スピンドル、実撚り装置よりなる群より選択された一以上を備える、請求項１乃至４の何れか１項の製造装置。
【請求項６】
前記カッタは、前記ジェットノズル内、または前記ジェットノズルと前記合流領域との間に配置されている、請求項１の製造装置。
【請求項７】
前記ジェットノズルより供給された前記空気流を前記合流領域において滞留または旋回せしめるべく前記空気流を整流する壁、
をさらに備えた請求項１の製造装置。
【請求項８】
前記飾り糸条を前記ジェットノズルへ供給する飾り糸条クリールと、
前記飾り糸条クリールを間歇的に動作させるサーボモータと、
をさらに備えた請求項１の製造装置。
【発明の詳細な説明】
【技術分野】
【０００１】
以下の開示は、主糸条と、間歇的に切断されて前記主糸条に交絡した飾り繊維と、よりなる意匠糸を製造する装置に関する。
【背景技術】
【０００２】
織物あるいは編物に装飾効果をもたらす等の目的で、糸に予めループやスラブ等の周期的または非周期的な変化を与えることがある。かかる変化の与えられた糸はしばしば意匠糸と呼ばれる。これまでにも数多くの意匠糸が提案されている。【０００３】
意匠糸の製造方法は一定でなく、紡績工程の段階で変化が与えられることもあれば、紡績を経て糸にされた後に、これを加工して変化が与えられることもある。加工による場合でも、一の糸条を加工する場合もあれば、一の糸条に他の糸条を交絡せしめる場合もある。【０００４】
特許文献１は、関連する技術を開示する。
【先行技術文献】
【特許文献】
【０００５】
【特許文献１】日本国特許出願公開２００４−２７０１２４号
【発明の概要】
【０００６】
以下の開示は、意匠糸の技術に新たな選択肢を提供する。
【０００７】
一の局面によれば、主糸条と、間歇的に切断されて前記主糸条に交絡した飾り糸条と、を少なくとも含む意匠糸を製造する装置は、前記飾り糸条を前記主糸条に沿わせる合流領域と、前記主糸条を前記合流領域へ供給する主給糸クリールと、前記飾り糸条を前記合流領域へ空気流と共に供給するジェットノズルと、前記飾り糸条を間歇的に切断するカッタと、前記飾り糸条を伴う前記主糸条に仮撚りまたは実撚りを与える加撚装置と、を備える。
【図面の簡単な説明】
【０００８】
【図１】図１は、一の実施形態による意匠糸を製造する装置の模式的な立面図である。
【図２】図２は、他の実施形態による意匠糸を製造する装置の模式的な立面図である。
【図３】図３は、飾り繊維を主糸条に沿わせるための合流領域とジェットノズルとの関係を詳述するための模式的な立面図である。
【図４】図４は、他の例によるジェットノズルの模式的な立面図である。
【図５】図５は、加撚装置の一例である空気ノズルと加工中の糸とを表す立面断面図である。
【図６Ａ】図６Ａは、合流領域を通過した後の主糸条と飾り繊維との態様を示す模式図である。
【図６Ｂ】図６Ｂは、空気ノズルを通過した後の主糸条、副糸条および飾り繊維の態様を示す模式図である。
【図６Ｃ】図６Ｃは、加撚装置を通過した後の意匠糸の態様を示す模式図である。
【発明を実施するための形態】
【０００９】
添付の図面を参照して以下に幾つかの例示的な実施形態を説明する。以下の説明および請求の範囲を通じて、特段の説明がなければ、上流および下流の語は糸条が走行する向きに関して定義され、使用されている。
【００１０】
本実施形態による装置は、図６Ａ乃至６Ｃに示すごとく、主糸条１と、間歇的に切断されてこれらに交絡した飾り繊維５ｃと、を少なくとも含み、さらに副糸条３を含むことができる意匠糸１０を製造する用途に好適に利用することができる。かかる意匠糸１０は、例えば織物あるいは編物に利用されてこれらに装飾効果をもたらす。
【００１１】
主に図１を参照するに、かかる装置は概して、主糸条１を送り出す主給糸クリール１１と、飾り糸条５を送り出す飾り糸条クリール１５と、加撚装置２３と、ワインダ３１とを備える。主糸条１は主給糸クリール１１から合流領域１７を通って加撚装置２３へと走行する。主糸条１をそのように導くべく、リングやローラのごとき糸条ガイドを適宜に配置することができる。
【００１２】
装置はさらに空気流Ａ１をガイドするジェットノズル１９を備える。飾り糸条５はかかるジェットノズル１９に通され、またカッタ２１により間歇的に切断されて飾り繊維５ｃとなり、空気流Ａ１により合流領域１７に供給されて主糸条１と合流する。
【００１３】
装置はさらに副糸条３を送り出す副給糸クリール１３を含むことができる。副糸条３は、合流領域１７より下流において主糸条１へ合流する。
【００１４】
加撚装置２３は、合流領域１７より下流に、副糸条３が合流する場合にはその箇所よりさらに下流に、配置される。加撚装置２３は例えば仮撚り装置であって、糸条１，３と飾り繊維５ｃとの全体に仮撚りが加えられて意匠糸１０となり、意匠糸１０はワインダ３１に引き取られる。あるいは後述のごとく実撚りであってもよい。
【００１５】
図１に示した例では、３つの給糸クリールからそれぞれ主糸条、副糸条、飾り糸条を送り出すが、給糸クリールを増やして２以上の主糸条あるいは２以上の副糸条を送り出してもよい。また２以上の飾り糸条を利用してもよく、その場合には飾り糸条クリール、ジェットノズル、カッタ、合流領域の組み合わせを追加する。２以上の飾り糸条は、それぞれ異なる色、異なる太さにすることができる。
【００１６】
図１に組み合わせて図３を参照するに、ジェットノズル１９は例えば細長い中空管であり、例えばその一端においてブロワのごとき送風装置に接続され、他端は合流領域１７に向けられて開口している。装置の稼働時において原則的に常時、送風装置による空気流Ａ１がジェットノズル１９内を一端から他端に向けて流れる。飾り糸条５は、飾り糸条クリール１５から引き出され、かかる一端近傍からジェットノズル１９内に導入され、空気流Ａ１に乗って他端から吐出される。
【００１７】
カッタ２１は、例えばジェットノズル１９と合流領域１７との間に配置される。カッタ２１は例えば刃のついた鎌である。ジェットノズル１９から吐出された飾り糸条５は常時揺れており、カッタ２１に触れることで切断される。あるいは鎌に代えて、鋏あるいはバリカンをカッタ２１に適用することができ、またこれらを駆動するためにカッタ２１はモータ機構、ソレノイド機構等の駆動装置を備えてもよい。さらにあるいは、熱的な手段やレーザを利用して飾り糸条５を切断してもよい。
【００１８】
主糸条１は常時走行し、また振動しており、さらには旋回等の複雑な動きをしており、これに沿って空気流Ａ２が生ずる。ジェットノズル１９から吐出された空気流Ａ１は空気流Ａ２と混合して、主糸条１の周りに滞留や旋回を含む複雑な動きの空気流Ａ３を生み出す。切断された飾り繊維５ｃは、おそらくは、かかる空気流Ａ３に乗ることにより、主糸条１に沿い、合流し、これと共に加撚装置２３へ運ばれる。このとき主糸条１に対する飾り繊維５ｃの態様は、例えば図６Ａに示すようであり、すなわち単に主糸条１に沿うか、軽く絡む程度であろう。
【００１９】
図３を参照するに、合流領域１７における空気流を整流するべく、装置は一以上の壁３３を備えてもよい。壁３３の少なくとも一は、例えば空気流Ａ１を主糸条１に向けて整流する向きおよび位置に配置することができる。また壁３３の他の一は、例えば主糸条１の走行に沿う向きに空気流を整流するように配置することができる。これらは、飾り繊維５ｃを主糸条１に絡ませるのに役立つ。
【００２０】
切断を促すべく、飾り糸条５は間歇的に給糸することができ、その目的のために例えば飾り糸条クリール１５はサーボモータを備えることができる。あるいは飾り糸条５をガイドするローラがサーボモータを備えてもよい。サーボモータを間歇的に動作させると、飾り糸条５は間歇的に供給される。飾り糸条５の先端が主糸条１に触れ、且つサーボモータが停止すると、その瞬間に飾り糸条５にテンションがかかるために、カッタ２１による切断が促される。あるいは場合により飾り糸条５はカッタに触れることなく切断されうる。またあるいは、先端が主糸条１に触れる以前に飾り糸条５を切断し、切断された飾り繊維５ｃを空気流Ａ１により主糸条１に向けて飛翔させ、これに絡めてもよい。
【００２１】
あるいはサーボモータを間歇的に動作させること代わり、または加えて、図４に示すごとき間歇動作するクランプ１９Ａを利用することができる。クランプ１９Ａの動作のためにソレノイド等の駆動装置を利用することができる。ソレノイド等によりクランプ１９Ａを動作させて飾り糸条５を間歇的に挟むと、飾り糸条５が瞬時に停止してカッタ２１により切断される。クランプ１９Ａは図４と異なり、ジェットノズル１９外でもよい。
【００２２】
またカッタ２１は、図３に示すごとくジェットノズル１９外でもよいが、図４に示すごとくジェットノズル１９内に配置されていてもよい。さらにカッタ２１よりも下流に、装置は第２のクランプ１９Ｂを備えることができる。かかる構成によれば、予め切断された飾り繊維５ｃが準備され、第２のクランプ１９Ｂがこれを解放することにより飾り繊維５ｃが順次合流領域１７に供給される。
【００２３】
さらにあるいは、ジェットノズル１９外において飾り糸条５を予め切断しておき、切断された飾り繊維５ｃをジェットノズル１９に順次供給してもよい。
【００２４】
図１に戻って参照するに、飾り繊維５ｃを伴う主糸条１は加撚装置２３に向けて走行するが、合流領域１７より下流であって加撚装置２３より上流において副糸条３を合流せしめるように、装置が構成されている。副糸条３が主糸条１、飾り繊維５ｃとともに加撚されることにより、飾り繊維５ｃは主糸条１に絡む。あるいは主糸条１とは異なる性質の糸条を副糸条３に適用することにより、意匠糸１０に意匠性ないし機能性を付与することができる。
【００２５】
かかる合流および加撚のために、例えば空気流を旋回せしめることにより糸条に仮撚りを与える旋回ノズルのごとき空気ノズル２３を利用することができる。旋回ノズルによれば主，副糸条１，３は旋回し、飾り繊維５ｃが主，副糸条１，３に取り込まれることを促す。これは飾り繊維５ｃの脱落を防止する点で有利である。旋回ノズルに代えて例えば中空スピンドルを利用してもよい。またこれに代えて、あるいは加えて、加熱等を作用せしめてもよい。
【００２６】
飾り繊維５ｃは、主，副糸条１，３と共に空気ノズル２３を通ることにより、おそらくは巻きつくように絡む。空気ノズル２３は、専ら飾り繊維５ｃの脱落を防止するために利用され、必ずしも糸条１，３を集束することを要しない。空気ノズル２３を通過した糸条１，３および飾り繊維５ｃの態様は、例えば図６Ｂに示すようであろう。
【００２７】
図１に戻って参照するに、互いに合流した糸条１，３および飾り繊維５ｃは、交絡装置２５に導かれる。交絡装置２５は水付与ガイド２７を含むことができる。水付与ガイド２７は、糸条に少量の水を噴射することのできるノズルを備えた糸条ガイドである。あるいは水付与ガイド２７を利用することに代えて、後述の交絡ノズル２９が水ノズルを備えてもよい。糸条に少量の水を付与することにより、糸条１，３および飾り繊維５ｃの交絡をより強めることができる。
【００２８】
交絡装置２５は、交絡ノズル２９のごとき空気ノズルを備える。図５を参照するに、交絡ノズル２９には公知の交絡ノズルを適用することができる。交絡ノズル２９は糸条を通過せしめる導孔４１と、導孔４１に連通する空気ダクト４３とを備える。空気ダクト４３はブロワのごとき外部の送風装置に接続されており、少なくとも導孔４１の側において細くなっており、以って相対的に高速な空気流Ａ４を導孔４１内に噴出するよう構成されている。導孔４１内に噴出した空気流Ａ４はその出口において比較的に高速な乱流を生じ、これは導孔４１を通過する糸条に交絡を与える。
【００２９】
水を付与された糸条１，３および飾り繊維５ｃが交絡ノズル２９を通過することにより、糸条１，３は互いに集束し、また飾り繊維５ｃとともに交絡が与えられて互いにしっかりと絡み、以って図６Ｃに示すごとき意匠糸１０が得られる。
【００３０】
上述においては交絡ノズルを利用する例を説明したが、これに代えてインターレースノズルを利用してもよく、あるいは中空スピンドルあるいはフリクション式撚り掛け装置と加熱装置の組み合わせのごとき糸条加工装置を利用してもよい。さらにあるいは、これらの糸条の加工手段を利用するのに代えて、あるいは加えて、加熱や接着を利用してもよい。加熱手段としては、ヒータ、レーザ、超音波発生装置を例示することができる。
【００３１】
また上述においては糸条に仮撚りを加える例を説明したが、仮撚りに代えて実撚りであってもよい。図２は実撚りによる例であって、加撚装置２３ｂは実撚り装置であり、例えばツイスターとスピンドルの組み合わせである。この場合にはスピンドルはワインダの役割を兼ねる。実撚りによっても、もちろん飾り繊維５ｃは糸条１，３中にしっかりと絡み、糸条１，３はより強固に集束する。実撚りの際に飾り繊維５ｃを主糸条１にしっかりと絡ませることができるので、交絡装置２５を省略してもよい。
【００３２】
またこの例では、合流領域１７より下流であって加撚装置２３ｂより上流に、糸条ガイド２３ａを設けることができる。糸条ガイド２３ａは、主糸条１および飾り糸条５に副糸条３を合流せしめるよう、専らこれらを案内する機能のみを持つが、あるいは糸条に旋回や加工を加える構成を伴っていてもよい。
【００３３】
図６Ｃに戻って参照するに、本実施形態による意匠糸１０は、短く切断された飾り繊維による、比較的に長い毛羽状の構造を有する。各構造は毛羽状ではあるが、主および副糸条にしっかりと絡んでいるので、毛羽として容易に脱落するわけではない。
【００３４】
かかる構造の大きさは、飾り糸条を切断する長さにより自由に変えることができるし、また隣り合う構造間の間隔も、飾り糸条を切断する間隔により自由に変えることができる。言うまでもなく、各構造毎に大きさと間隔とを変えることもできる。さらに、既に述べた通り、２以上の飾り糸条を利用することもできるので、例えば構造毎に異なる色にすることもできる。
【００３５】
従来の意匠糸の製造方法では、多くの場合に、連続した長繊維の糸条を加工することによりループやスラブのような構造を形成せしめているので、繊維の先端が意匠糸の外方に展開することはなく、本実施形態のように長い毛羽のごとき構造を形成することはできない。また従来の製造方法では、構造間の間隔や構造毎の大きさを制御することも、それほど自由にできない。本実施形態によればこれらは容易に実現される。さらに本実施形態によれば構造毎に異なる色を与えることもできる。
【００３６】
幾つかの実施形態を説明したが、上記開示内容に基づいて実施形態の修正ないし変形をすることが可能である。
【産業上の利用可能性】
【００３７】
意匠糸の技術に新たな選択肢を提供する製造装置が提供される。
【図１】
2020044493.tif 000003
【図２】
2020044493.tif 000004
【図３】
2020044493.tif 000005
【図４】
2020044493.tif 000006
【図５】
2020044493.tif 000007
【図６Ａ】
2020044493.tif 000008
【図６Ｂ】
2020044493.tif 000009
【図６Ｃ】
2020044493.tif 000010
【国際調査報告】
2020044493.tif 000011
2020044493.tif 000012
2020044493.tif 000013
2020044493.tif 000014